(57)【特許請求の範囲】
【請求項１】
環状のコアプレートに摩擦材を貼着した摩擦板の製造方法において、
互いに同中心の複数種の径の異なるコアプレートを、互いに連結する連結部を残して同時に打ち抜く工程と、
打ち抜かれた前記複数種の径の異なるコアプレートそれぞれに摩擦材セグメントを仮貼着する工程と、
前記仮貼着工程に続く本接着工程中または本接着工程完了後、前記連結部を打ち抜く工程と、から成ることを特徴とする摩擦板の製造方法。
【請求項２】
請求項１に記載の摩擦板の製造方法において、前記仮貼着工程では、前記摩擦材セグメントが、前記複数種の径の異なるコアプレートそれぞれに同時に供給されることを特徴とする。
【請求項３】
請求項１に記載の摩擦板の製造方法において、前記仮貼着工程では、前記摩擦材セグメントが、前記複数種の径の異なるコアプレートすべてに対して供給され、前記コアプレートの同一面の半径方向の両側同時に前記摩擦材セグメントを仮貼着することを特徴とする。
【発明の詳細な説明】
【０００１】
【産業上の利用分野】
本発明は、車輌の自動変速機等に使用されるフリクションプレート、ロックアップクラッチ等に用いられる摩擦板の製造方法に関する。
【０００２】
【従来の技術】
径の異なる複数の摩擦材を製造するには、例えば図４に示すように、大小のコアプレートをプレスなどにより分割して形成し、そのそれぞれに独立して摩擦材セグメントを貼着していた。
【０００３】
図４において、まず、工程（Ａ）において大径のコアプレート１１と、コアプレート１１より径の小さい小径のコアプレート１２とをプレート材料から同時に打ち抜き、独立した大径のコアプレート１１と小径のコアプレート１２とに完全に分割する。
【０００４】
次に、工程（Ｂ）で、大径のコアプレート１１と小径のコアプレート１２とはそれぞれ、摩擦材テープ１３から打ち抜かれる摩擦材セグメント１６、摩擦材テープ１５から打ち抜かれる摩擦材セグメント１４とを貼着される。円周方向に貼りつめるまでに、この作業が行われる。
【０００５】
摩擦材セグメントの貼着が完了すると、工程（Ｃ）に示すように、大径の摩擦板３０と小径の摩擦板４０とがそれぞれ独立分離して形成される。このとき本接着が行われる。
【０００６】
【発明が解決しようとする課題】
しかしながら、上述のような従来の製造方法には次のような問題点があった。
【０００７】
プレスによる打ち抜きから接着までの工程に統一がなく、接着工程の数が摩擦板の種類分必要であり、またセット替えして同じ工程で接着を行うと摩擦板の種類数に対して倍の時間がかかってしまう。
【０００８】
更に、各摩擦材セグメントをコアプレートに貼着する動作を繰り返すためにかかってしまう時間を減少させることが困難であった。
【０００９】
そこで本発明は、これらの問題を解決することを目的とする。
【００１０】
【問題点を解決するための手段】
上記問題点を解決するため、本発明の摩擦板の製造方法は、
環状のコアプレートに摩擦材を貼着した摩擦板の製造方法において、
互いに同中心の複数種の径の異なるコアプレートを、互いに連結する連結部を残して同時に打ち抜く工程と、
打ち抜かれた前記複数のコアプレートに摩擦材セグメントを仮貼着する工程と、
前記仮貼着工程に続く本接着工程中または本接着工程完了後、前記連結部を打ち抜く工程と、
から成ることを特徴としている。
【００１１】
【発明の実施態様】
本発明によれば、
プレスによる打ち抜きから接着までの工程を統一することができる。また、摩擦材セグメントを請求項に記載のように供給することで従来と同じレベルの材料歩留まりを維持することができる。
【００１２】
更に、摩擦材セグメントの供給ピッチを変化させて行い、コアプレートの同一面の半径方向両側同時に仮貼着するようにしたので、貼着動作の繰り返し時間を半分に減らすことができる。
【００１３】
【実施例】
以下、図面を参照して本発明の各実施例を詳細に説明する。尚、図面において同一部分は同一符号にて示してある。
【００１４】
（第１実施例）
図１は、本発明の第１実施例の製造工程の流れを示す平面図である。
図１は、大小２種類の異なる径を有する摩擦板を製造する場合の工程の流れを示す一例である。まず工程（Ａ）で、内周に不図示の回転部材と係合するスプライン１ａを形成された環状の大径の大コアプレート１と、内周に不図示の回転部材と係合するスプライン２ａが形成され、大コアプレート１の内径より小さい外径を有する小径の環状の小コアプレート２とを不図示のプレス機により所定厚の鋼板等から、同時に打ち抜くことで形成する。打ち抜き後、大コアプレート１と小コアプレート２との間には環状の隙間が画成される。
【００１５】
この時、大コアプレート１のスプライン１ａの歯と小コアプレート２の外周とを連結する連結部５を環状の隙間の周方向等分に３カ所設ける。従って、この連結部５により大コアプレート１と小コアプレート２とはこの工程では一体となっている。尚、連結部は円周方向に３個設けられているが、個数は任意であり、１個、または２個でも良いし、あるいは３個以上であってもよい。
【００１６】
工程（Ａ）においては、大コアプレート１及び小コアプレート２の上面に摩擦材を貼着固定するため、本接着用の接着剤が塗布され、この接着剤が乾燥した後に仮接着を行うための接着剤が塗布される。
【００１７】
上述のように接着剤の塗布された大小のコアプレートは、次に工程（Ｂ）に搬送され、複数の摩擦材セグメントの貼着が行われる。摩擦材セグメントが打ち抜かれる摩擦材テープ３が、大小コアプレートに対して半径方向から供給され、小コアプレート２用の摩擦材セグメント４と大コアプレート１用の摩擦材セグメント６とが摩擦材テープ３から打ち抜かれ、それぞれのコアプレート状に載置される。その後、不図示の押圧装置により加圧され仮接着が行われる。
【００１８】
摩擦材セグメント４と摩擦材セグメント６との間のピッチは、大コアプレート１と小コアプレート２との間の距離と同じにしてあるので、摩擦材セグメント４及び６は、同時に打ち抜くことができ、一枚分の打ち抜きステップ数で二枚分同時に打ち抜くことができる。この工程では、大コアプレート１と小コアプレート２とは連結部５によりまだ一体である。
【００１９】
摩擦材セグメントの仮接着が終了した製品は、工程（Ｃ）に搬送され、本接着装置により熱と圧力が同時に加えられ、コアプレートに対する摩擦材の本接着が行われる。
【００２０】
最後に、工程（Ｄ）において、本接着終了後に連結部５をパンチで打ち抜き大コアプレート１と小コアプレート２とが、それぞれ摩擦材を貼着された径の異なる２種の摩擦板として分離・形成される。尚、この打ち抜き・分離工程は、工程（Ｃ）の本接着と同時に行っても良い。
【００２１】
（第２実施例）
図２は、本発明の第２実施例の製造工程の流れを示す平面図である。
図２は、図１と同様に大小２種類の異なる径を有する摩擦板を製造する場合の工程の流れを示している。第２実施例は、工程（Ｂ）のみが第１実施例と異なるので、同一部分の説明は省略する。
【００２２】
工程（Ｂ）においては、大コアプレート１用の摩擦材セグメント６が打ち抜かれる摩擦材テープ８の供給方向と小コアプレート２用の摩擦材セグメント４が打ち抜かれる摩擦材テープ７の供給方向とは反対であり、互いに対向している。すなわち、第１実施例では、１枚の摩擦材テープ３から２種の摩擦材セグメントを打ち抜いたが、第２実施例では、別々の摩擦材テープから打ち抜く。
【００２３】
摩擦材テープの数が増えているが、供給方向を対向させてあるため、摩擦材セグメント６及び４はそれぞれ１個ずつ同時に貼着でき、大コアプレート１及び小コアプレート２の全面に摩擦材セグメントを貼着する時間は第１実施例の場合と同じである。
【００２４】
第１実施例では、摩擦材テープ３から所定のピッチで摩擦材セグメント４及び６を打ち抜いたが、第２実施例の場合は、工程（Ｂ）を示す図から明らかなように、摩擦材セグメント４及び６はそれぞれほとんど隙間なく打ち抜かれるので、摩擦材の歩留まりが良くなるという利点がある。
【００２５】
（第３実施例）
図３は、本発明の第３実施例の製造工程の流れを示す平面図である。
図３は、図１と同様に大小２種類の異なる径を有する摩擦板を製造する場合の工程の流れを示している。第３実施例は、工程（Ｂ）のみが第１実施例と異なるので、同一部分の説明は省略する。
【００２６】
工程（Ｂ）においては、第１及び第２実施例と摩擦材の供給法が異なる。大コアプレート１用の摩擦材セグメント６と小コアプレート２用の摩擦材セグメント４が打ち抜かれる１枚の摩擦材テープ９がコアプレート全体に供給される。
【００２７】
工程（Ｂ）に示すように、摩擦材テープ９は、供給ピッチを１→３→１→３→と変化させて供給し、コアプレート同一面の半径方向の両側同時に接着している。同中心の摩擦材セグメント４と６が２個ずつ計４個、隣接して１８０度位相を変えて同中心の摩擦材セグメント４と６が２個ずつ計４個、所定のピッチで並んだ状態で摩擦材テープ９から打ち抜かれる。
【００２８】
従って、摩擦材テープ９からは摩擦材セグメント４が半径方向で対向して２個、摩擦材セグメント６が半径方向に対向して２個、計４個が一度に打ち抜かれ、大小のコアプレート状に仮接着される。この結果、第１及び第２実施例の場合に比べて、打ち抜き、貼着の繰り返し動作を半分に減少できる。
【００２９】
第３実施例では、第１実施例と同様に摩擦材供給装置が一台で済み、打ち抜き、貼着の繰り返し動作が少なくて済むので仮接着時間を短縮できるという利点がある。
【００３０】
上記各実施例においては、２種の径の異なるコアプレートと摩擦材から摩擦板を同時に打ち抜き形成したが、２種に限定することなく、例えば３種またはそれ以上の摩擦板を同時に形成することもできる。
【００３１】
【発明の効果】
以上説明した、本発明の摩擦材の製造方法によれば、以下のような効果が得られる。
【００３２】
摩擦材セグメントを同時に複数種類のコアプレート貼着できると共に、材料歩留まりも従来と変わらないレベルで維持することができる。
【００３３】
更に、ピッチを変化させて摩擦材セグメントを供給し、コアプレート同一面の両側同時に貼着することで打ち抜き、貼着の繰り返し動作を半分に減らし、コアプレート１枚あたりの生産サイクルを短縮することができる。
【図面の簡単な説明】
【図１】本発明の第１実施例の製造工程の流れを示す平面図である。
【図２】本発明の第２実施例の製造工程の流れを示す平面図である。
【図３】本発明の第３実施例の製造工程の流れを示す平面図である。
【図４】従来の製造工程の流れを示す平面図である。
【符号の説明】
１、２・・・コアプレート
３、７、８、９・・・摩擦材テープ
４、６・・・摩擦材セグメント
５・・・連結部
１０、２０・・・摩擦板
【図１】
0004180153.tif 000002
【図２】
0004180153.tif 000003
【図３】
0004180153.tif 000004
【図４】
0004180153.tif 000005